(57)【特許請求の範囲】
【請求項１】
コイル状に巻回した基材を懸架するアンコイラと、該アンコイラから連続的に供給される基材を成形して建材とする成形機とからなる建材成形機構と、該建材成形機構から送出される建材の凹部、あるいは凸部に防水材を挿填するにあたり、巻回された防水材を送出する防水材供給機と、該防水材供給機に懸架された防水材の残料を検知する残料感知機と、該残料感知機からの信号を発信する発信機とからなる防水材送出機構と、該防水材送出機構から繰り出される防水材に所定の張力を与える可動テンションロールと、該可動テンションロールに対面する固定テンションロールとを有する張力付与機構と、建材の不存在を検知する出口センサーと、該出口センサーの発信を受けて防水材を切断するカッターを備えた切断機構と、建材の到達を検知し、該建材と上記防水材を同調させる入口センサーと、上記張力付与機構から送出される防水材を建材の凹部、あるいは凸部に挿填する挿填ロールと、該挿填ロールの対面に位置し、送出された防水材及び建材を受けるガイドと、該ガイドの後方で、上記挿填ロールから送出される建材の横振れを防止する振止ガイドロールとからなる挿填機構とを備えたことを特徴とする防水材の挿填装置。
【発明の詳細な説明】
【０００１】
【産業上の利用分野】
本発明は住宅等に使用する屋根材、外壁材（以下、単に建材という）の嵌合部に対し、長尺状の防水材を高能率で、しかも外観良く挿填することができる防水材の挿填装置に係るものである。
【０００２】
【従来の技術】
従来の防水材の装填装置としては、▲１▼特開平６ー２０９８４１号公報、▲２▼実開平４ー９４４３９号公報、▲３▼実開平６ー７８３５４号公報等がある。
【０００３】
【発明が解決しようとする課題】
しかしながら、上記▲１▼の防水材の装填装置は、大量生産を目的とし、各工程が大がかりなものとなること、▲２▼の防水材の装填装置では板材と、シート材とをホットメルトタイプの接着材を介して全面一体化するため、防水材の装填装置全体が大がかりなものとなること、また▲３▼の防水材の装填装置はダンサーロール、アキュームレータロールの製作にコストがかかる等の欠点があった。
【０００４】
【課題を解決するための手段】
本発明はこのような欠点を除去するために、連続生産時に対応しながら、確実安定に挿填作業ができ、その上、低コストでコンパクトな防水材の装填装置を提供するものである。
【０００５】
【実施例】
以下に、図面を用いて本発明に係る防水材の装填装置について詳細に説明する。図１は本発明に係る防水材の装填装置Ａを説明する横断面図、図２は図１のイーイ部断面図、図３は図１のロ部を拡大して示す部分拡大図、図４はカッター１２のその他の実施例を示す説明図、図５は挿填防水材の装填装置Ａを複合建材製造装置Ｈに組み入れた場合及び、その一部を抽出して示す説明図、図６は防水材５の梱包形態示す説明図、図７は可動テンションロール９のその他の実施例を示す説明図、図８は防水材５のその他の実施例を示す説明図、図９〜図１１は建材Ｂのその他の実施例を示す説明図である。
【０００６】
建材Ｂは、金属、合成樹脂、セメント系素材、無機質焼成材、木材、石材、あるいはこれらの複合材からなり通常、両端部に嵌合、あるいは接合用の凹凸部１ａを有する長尺板材である。
【０００７】
防水材５は、図２に示すように母材５ａとして、シリコン系、変性シリコン系の粘着材、ＰＶＣ、ポリプロピレン、ポリ塩化ビニル、ポリスチレン、ポリエチレン、ＥＰＤＭ、アスファルトフェルト、発泡ゴム、ポリウレタン等の合成樹脂、または、これらの発泡体、もしくは無機耐火粘着材等の一種以上から形成したものであり、少なくとも弾性、防水性を有するものであり、その母材５ａに対し、例えばシリコンコーテングされた剥離紙５ｂを積層したものである。
【０００８】
さらに防水材５の挿填場所は、図９（ｂ）のように凹凸部１ａに挿填するものである。その梱包形態は、図６（ａ）に示すように巻回された防水材５あるいは、図６（ｂ）に示すようにランダムに箱詰めされた形態とするものである。
【０００９】
送出機構Ｄは、巻回された防水材５を支持するアンコイラ２と、防水材５の残料を検知する残料感知機７と、残料感知機７からの信号を受け発信する発信器８とからなるものである。この残料感知機７は接触センサーの一種で他に、光センサー等の検知機を使用することもできる。
【００１０】
張力付与機構Ｅは、送出される防水材５に所定の張力を与える可動テンションロール９と、固定テンションロール１０とからなり、防水材５の残料変化、建材Ｂの送りスピードの変化に対応して、任意に張力を変えるためのものである。
【００１１】
さらに説明すると、図３は図１のロ部分を拡大したものであるが、可動テンションロール９に歯車状の切り込み９ａを成形したため、防水材５の母材５ａとの接触がロール山部９ｂのみで行われ、接触面積が低減される。このため、可動テンションロール９への巻き込み事故を防止することができる。
【００１２】
また、ロール山部９ｂは防水材５の母材５ａの幾分食い込むように圧接するが、母材５ａはある程度のクッション性を有し、復元力を持つため、挿填機構Ｇに到達する時点では、ほぼフラットな状態となるものである。
【００１３】
挿填機構Ｇは、建材Ｂの到達を検知し、この建材Ｂと、上記防水材５とを同調させる入口センサー１３と、張力付与機構Ｅから送出される防水材５を建材Ｂの凹部１に挿填する挿填ロール１４と、防水材５及び、凹凸部１ａ裏面を介して挿填ロール１４と対面し、建材Ｂの横振れをも防止するガイド１５とからなる。
【００１４】
建材Ｂは、鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（勿論、これらを各種色調に塗装したカラー金属板を含む）の一種をロール成形、プレス成形したもの、あるいは樹脂、粘土等を押出成形によって各種形状に成形したものである。例えば、図９（ａ）は、屋根材として使用するもので、左右端部の連結凹部１中央に発泡性の防水材５を挿填したもの、（ｂ）図は（ａ）図において吊り子タイプに形成した場合、（ｃ）図は化粧段差を１条とした場合、（ｄ）図はハゼ組タイプとした場合である。
【００１５】
図１０（ａ）〜（ｅ）は中空押出材としたものであり、図１０（ａ）は梯子状、（ｂ）図は左右に実構造を有する建材Ｂ、（ｃ）〜（ｅ）図は相决を有した場合である。
【００１６】
図１１（ａ）〜（ｅ）は金属あるいは合成樹脂製の建材Ｂを示したものであり、（ａ）図は落とし込みタイプで、化粧面中央に浅溝１７を１条形成したもの、（ｂ）図は化粧面をフラットに形成した横張タイプ、（ｃ）図は（ｂ）図において、溝を上端に偏位して形成したもの、（ｄ）図は鎧張りタイプで、両端の凹凸部１ａに粘着テープを形成したもの、（ｅ）図は凹凸部１ａに嵌挿用の台形リブ１８を１条形成した建材Ｂである。
【００１７】
入口センサー１１は、残料感知機７と同様に接触センサー、光センサー等の任意の検知機からなるが、このセンサー１１からの信号で、建材Ｂと防水材５を同調させるものである。
【００１８】
振止ガイド１５は、対面する挿填ロール１４との間で建材Ｂ及び、防水材５を挟持するものであり、図１に示すようブロック状あるいは、ロールとするものである。
【００１９】
振止ガイドロール１６は、上記挿填ロール１４から送出される建材Ｂの横振れを防止するものであり、ロール両端にフランジを形成したり、図示しないが、鼓状のクラウンロールとすることも可能である。
【００２０】
切断機構Ｆは、送給された建材Ｂの不存在を認識する出口センサー１１と、出口センサー１１の発信を受けて、ソレノイド１９を駆動し、防水材５を切断するカッター１２と、カッター１２を初期の定位置に復帰するための引張バネ２０を挿填ロール１４と張力付与機構Ｅ間に配設したものである。またカッター１２の対面には、カッター受１２ａを形成し切断を確実なものとしている。
【００２１】
次に本発明に係る防水材の装填装置Ａの動作について図１を用いて簡単に説明する。アンコイラ２に懸架された基材１が、連続して成形機３によって成形され、製品あるいは半製品となった建材Ｂが、入口センサー１３の位置に差し掛かると、予め防水材供給機６から開放され、挿填ロール１４に準備された防水材５が建材Ｂの凹凸部１ａに挿填される。以下連続して挿填した後、建材Ｂの最後の部分である尻を検知する出口センサー１１からの信号をソレノイド１９に伝え、カッター１２をカッター受１２ａに向かって駆動し、防水材５を切断する。その後上記カッター１２は引張バネ２０によって初期の位置に復帰することで一連の動作を終了する。なお作業中、防水材５が無くなった場合は、事前に残料感知機７によって検知し、無くなる前に発信機８より予鈴を発するかあるいは、図示しないが自動ロール交換機構に働きかける等をして、空動作を未然に防止するものである。
【００２２】
以上説明したのは本発明に係る防水材の装填装置Ａの一実施例にすぎず、図４（ａ）〜（ｅ）〜図８（ａ）〜（ｌ）に示すように形成することができる。すなわち、図４（ａ）〜（ｆ）はカッター１２のその他の実施例を示すもので、（ａ）図はカッター１２を片面ナイフエッジで、しかも刃先に円弧状の切り欠きを形成したもの、（ｂ）図は片面ナイフエッジで櫛刃状切り欠きを１箇所に形成したもの、（ｃ）図は両面を傾斜させた楔状断面で櫛刃状切り欠きを多数形成したもの、（ｄ）図は（ｃ）図を２連としたもの、（ｅ）図は針状突起を多数個形成したもの、（ｆ）図は（ｅ）図を２本形成したカッター１２である。
【００２３】
図５（ａ）〜（ｃ）は、本発明に係る防水材の装填装置Ａを複合建材製造装置Ｈに使用した際の、その他の実施例を示した説明図であり、（ａ）図は図１で形成された半製品の建材Ｂに対して、芯材供給機Ｉより原料状態の芯材２１を吐出し、裏面材供給機Ｊから繰り出される裏面紙２２を積層した後、無端帯ベルトで型を形成したキュアオーブンＫで養生し、一体化された建材Ｂを所定寸法に切断する建材切断機Ｌにより切断され、梱包機Ｍにより梱包されるものである。（ｂ）図は本発明に係る防水材の装填装置ＡをキュアオーブンＫと建材切断機Ｌの間に配設した場合を示すものである。（ｃ）図は（ｂ）図のハ−ハ線に於ける概略断面図を示すものであるが、建材Ｂの挿填部位の変化に対応して、建材Ｂの周りを２点鎖線に示すように回転自在に形成した防水材の装填装置Ａである。
【００２４】
図７は（ａ）〜（ｅ）可動テンションロール９のその他の実施例を示すものであり、（ａ）、（ｃ）、（ｅ）図に示すように切り込み９ａピッチを任意に変化させたり、また（ｂ）図のように切り込み９ａ深さを変化させた可動テンションロール７とすることもできるし、（ｄ）図のように切り込み９ａを形成し、幅方向の凹凸模様を全周に亘って形成して、母材５ａとの接触面積を一層低減したものである。
【００２５】
図８は（ａ）〜（ｌ）本発明に係る防水材５のその他の実施例を示す説明図であり、（ａ）図は長方形状に形成したもの、（ｂ）図は中空長方形状、（ｃ）図はコ字状、（ｄ）図中空コ字状、（ｅ）図は半円状、（ｆ）図は中空半円状、（ｇ）図は長円状、（ｈ）図は中空長円状、（ｉ）図はブーメラン状、（ｊ）図は中空ブーメラン状、（ｋ）図は瓢箪状、（ｌ）図は中空鼓状の防水材５を示すものである。
【００２６】
【発明の効果】
以上説明したように本発明に係る防水材の装填装置によれば、▲１▼可動テンションロールに切り込みを形成したため、防水材の巻き込みを防止して、作業効率が向上する。▲２▼建材の挿填位置に応じて、防水材の装填装置全体を建材のラインを中心に回転することができるため、挿填位置が安定し、部品点数を低減することができる。▲３▼挿填防水材の装填装置がコンパクトで移設容易なため、最適条件下で作業ができる。▲４▼防水材の形状に左右されず、汎用性が高い。▲５▼各種センサーを装備しているため、連続生産が可能である。▲６▼防水材のカッターが櫛刃状に形成されるため、連続生産及び、生産現場での切断作業を容易にする。▲７▼挿填機構の前後に建材の振れ止めガイド、及びロール振れ止めガイドを形成したため、貼着位置が安定する。▲８▼建材を送出する前工程を利用し、駆動装置等を省略できるため、軽量で、しかも生産コストを低減できる。等の特徴、効果がある。
【図面の簡単な説明】
【図１】本発明に係る防水材の装填装置を説明する横断面図である。
【図２】本発明に係る防水材の装填装置に使用する防水材の部分拡大断面図である。
【図３】本発明の係る防水材の装填装置に使用する張力付与機構である図１ロ部の部分拡大図である。
【図４】本発明に係る防水材の装填装置に使用するカッターのその他の実施例を示す説明図である。
【図５】本発明に係る防水材の装填装置を生産ラインに組み込んだ態を示す説明図である。
【図６】本発明に係る防水材の装填装置の防水材梱包形態を示す説明図である。
【図７】本発明に係る防水材の装填装置の可動テンションロールのその他の実施例を示す説明図である。
【図８】本発明に係る防水材の装填装置に使用する防水材のその他の実施例を示す説明図である。
【図９】本発明に係る防水材の装填装置に使用する防水材のその他の実施例を示す説明図である。
【図１０】本発明に係る防水材の装填装置に使用する建材のその他の実施例を示す説明図である。
【図１１】本発明に係る防水材の装填装置に使用する建材のその他の実施例を示す説明図である。
【符号の説明】
Ａ  防水材の装填装置
Ｂ  建材
Ｃ  建材成形機構
Ｄ  防水材送出機構
Ｅ  張力付与機構
Ｆ  切断機構
Ｇ  挿填機構
Ｈ  複合建材製造装置
Ｉ  芯材供給機
Ｊ  裏面材供給機
Ｋ  キュアオーブン
Ｌ  建材切断機
Ｍ  梱包機
１  基材
１ａ  凹凸部
２  アンコイラ
３  成形機
４  凹部
４ａ  凸部
５  防水材
５ａ  母材
５ｂ  剥離紙
６  防水材供給機
７  残料感知機
８  発信機
９  可動テンションロール
９ａ  切り込み
９ｂ  ロール山部
１０  固定テンションロール
１１  出口センサー
１２  カッター
１２ａ  カッター受
１３  入口センサー
１４  挿填ロール
１５  ガイド
１６  振止ガイドロール
１７  浅溝
１８  台形リブ
１９  ソレノイド
２０  引張バネ
２１  芯材
２２  裏面材
【図１】
0003559815.tif 000002
【図２】
0003559815.tif 000003
【図３】
0003559815.tif 000004
【図４】
0003559815.tif 000005
【図５】
0003559815.tif 000006
【図６】
0003559815.tif 000007
【図７】
0003559815.tif 000008
【図８】
0003559815.tif 000009
【図９】
0003559815.tif 000010
【図１０】
0003559815.tif 000011
【図１１】
0003559815.tif 000012